(57)【要約】【課題】  ユーザが視聴した番組履歴にもとづいて，ユーザの嗜好にあう番組を表示して，ユーザの番組視聴を支援するテレビを提供する。【解決手段】  テレビ１のＥＰＧ情報収集部１１０はＥＰＧ情報を収集し，表示番組制御部１１２は，視聴された番組の番組情報を視聴履歴情報として記憶する。優先度算出部１１１は，視聴履歴情報から各カテゴリの出現回数を求め，この回数をもとに各カテゴリの優先度を算出し優先度情報記憶部１０３に格納する。表示番組制御部１１２は，電源投入時に，現在放送中の番組の番組情報と優先度情報をもとに最高優先度のカテゴリに属する１または複数の番組を選択する。番組表示処理部１１４は，選択された番組をサムネイル画面で表示器１１５に表示し，サムネイル画面が視聴対象として選択されたら当該番組を通常画面表示に切り替える。【選択図】  図１
2008228154.tif 000002
【特許請求の範囲】
【請求項１】
ユーザの番組視聴履歴にもとづいてユーザが嗜好する番組を表示する機能を備える表示装置であって，
視聴された番組の履歴情報をもとに前記視聴された番組のカテゴリごとの出現回数をカウントし，当該出現回数をもとに前記カテゴリの優先度を算出する優先度算出部と，
所定の契機において，当該時点で放送中の番組の番組情報を取得し，前記優先度が最高のカテゴリを特定し，前記放送中の番組のなかから当該カテゴリに属する１または複数の番組を選択する表示番組制御部と，
前記選択された１または複数の番組を表示する番組表示処理部とを備える
表示装置。
【請求項２】
ユーザの番組視聴履歴にもとづいてユーザが嗜好する番組を表示する機能を備える表示装置であって，
前記番組を内容にもとづいて分類するサブカテゴリと，前記サブカテゴリに分類される番組の特徴を表す特徴語との対応関係を示す対応情報を記憶する番組特徴情報記憶部と，
所定の契機において，当該時点で放送中の番組の番組情報を取得し，当該放送中の番組の番組情報および視聴された番組の視聴履歴情報から，番組ごとにその番組内容の特徴を表す特徴語を切り出し，前記対応情報をもとに各番組のサブカテゴリを特定する番組特徴抽出部と，
前記視聴履歴情報における各サブカテゴリの出現回数をカウントし，当該出現回数をもとに前記サブカテゴリの優先度を算出する優先度算出部と，
前記優先度が最高のサブカテゴリを特定し，前記放送中の番組のなかから当該サブカテゴリに属する１または複数の番組を選択する表示番組制御部と，
前記選択された１または複数の番組を表示する番組表示処理部とを備える
表示装置。
【請求項３】
前記番組表示処理部は，前記選択された１または複数の番組それぞれを所定サイズのサムネイル画面で表示し，当該サムネイル画面で表示中の番組のうち視聴対象として選択された番組を通常画面で表示し，前記視聴対象以外のサムネイル画面を消去する
請求項１または請求項２に記載の表示装置。
【請求項４】
前記表示番組制御部は，放送中の番組が通常画面で表示されている場合に，前記番組情報を参照し，前記通常画面で表示中の番組のカテゴリまたはサブカテゴリに属していない番組であって当該時点で放送が開始された番組が存在するときは，当該前記放送が開始された番組を選択し，
前記番組表示処理部は，前記放送が開始された番組をサムネイル画面で表示する
請求項１または請求項２に記載の表示装置。
【請求項５】
前記番組特徴抽出部は，前記視聴履歴情報から特徴語を抽出し，前記抽出された特徴語各々について前記視聴履歴情報における出現回数を算出し，さらに，当該時点で放送中の番組の番組情報をもとに前記放送中の番組各々について対応する番組情報から特徴語を抽出し，前記抽出した特徴語各々の前記視聴履歴情報における出現回数をカウントし，
前記優先度算出部は，前記視聴履歴情報から算出された前記特徴語の出現回数をもとに，前記放送中の番組について，当該放送中の番組の番組情報の特徴語の出現回数の合計数をもとに番組優先度を算出し，
前記表示番組制御部は，前記最高の優先度のカテゴリまたはサブカテゴリに属する番組から，前記番組優先度が高い順に所定数の番組を選択する 
請求項１または請求項２に記載の表示装置。
【請求項６】
前記優先度算出部は，前記カテゴリまたはサブカテゴリごとに優先度算出の重み付けの対象とする特徴語もしくは特徴語群を記憶し，当該特徴語の出現回数に重み付けを行って前記カテゴリもしくはサブカテゴリの優先度を算出する
請求項５に記載の表示装置。
【請求項７】
録画された番組を記憶する録画番組記憶部と，
録画対象に指定された放送中の番組を録画し，前記録画番組記憶部に格納する番組録画部とを備えるとともに，
前記表示番組制御部は，前記サムネイル画面で表示中の番組であって前記視聴対象として選択された番組の優先度が所定の値以上である場合に，当該視聴対象として選択されなかった番組を録画対象として指定して前記番組録画部に通知する
請求項３に記載の表示装置。
【請求項８】
前記ユーザの入力操作によって，前記番組特徴情報記憶部に記憶されている前記サブカテゴリまたは前記対応情報を編集するカテゴリ編集部を備える
請求項２に記載の表示装置。
【請求項９】
指示信号受信部と，前記指示信号によって指示された番組を表示する番組表示処理部とを備える表示装置に対して当該指示信号を送信する遠隔操作装置であって，
視聴された番組の履歴情報をもとに前記視聴された番組のカテゴリごとの出現回数をカウントし，当該出現回数をもとに前記カテゴリの優先度を算出する優先度算出部と，
所定の契機において，当該時点で放送中の番組の番組情報を取得し，前記優先度が最高のカテゴリを特定し，前記放送中の番組のなかから当該カテゴリに属する１または複数の番組を選択する表示番組制御部と，
前記選択された１または複数の番組の番組名を表示し，ユーザによって選択された番組を視聴対象とする指示信号を前記表示装置へ送信する指示信号送信部を備える
遠隔操作装置。
【請求項１０】
指示信号受信部と，前記指示信号によって指示された番組を表示する番組表示処理部とを備える表示装置に対して当該指示信号を送信する遠隔操作装置であって，
前記番組を内容にもとづいて分類するサブカテゴリと，前記サブカテゴリに分類される番組の特徴を表す特徴語との対応関係を示す対応情報を記憶する番組特徴情報記憶部と，
所定の契機において，当該時点で放送中の番組の番組情報を取得し，当該放送中の番組の番組情報および視聴された番組の視聴履歴情報から，番組ごとにその番組内容の特徴を表す特徴語を切り出し，前記対応情報をもとに各番組のサブカテゴリを特定する番組特徴抽出部と，
前記視聴履歴情報における各サブカテゴリの出現回数をカウントし，当該出現回数をもとに前記サブカテゴリの優先度を算出する優先度算出部と，
前記優先度が最高のサブカテゴリを特定し，前記放送中の番組のなかから当該サブカテゴリに属する１または複数の番組を選択する表示番組制御部と，
前記選択された１または複数の番組の番組名を表示し，ユーザによって選択された番組を視聴対象とする指示信号を前記表示装置へ送信する指示信号送信部を備える
遠隔操作装置。
【発明の詳細な説明】
【技術分野】
【０００１】
本発明は，放送番組に関する情報を利用して，放送される番組の視聴者（以下，ユーザという）が嗜好する番組を表示する機能を備える表示装置，および前記表示装置に指示信号を送信する遠隔操作装置に関する。
【背景技術】
【０００２】
放送される番組を表示するテレビなどの表示装置では，放送局が各チャンネルに割り当てられている。そのため，ユーザは，予め，自分が視聴したい番組が放送されるチャンネルや放送日時を調べ，該当チャンネルを選択する必要がある。
【０００３】
近年では，ＥＰＧ（Ｅｌｅｃｔｒｏｎｉｃ  Ｐｒｏｇｒａｍ  Ｇｕｉｄｅ）などの放送番組情報の受信機能を備えるテレビが普及している。ＥＰＧは，放送電波やインターネットを介して配信される，放送番組に関する情報であり，番組ごとの放送日，放送開始／終了時間，放送局，番組名（帯／個別），出演者，内容の概要などの情報とともに，スポーツ，ドラマ，報道などの番組配信側で設定されたジャンル（カテゴリ）を含むものである。ＥＰＧ受信機能を備えるテレビでは，ＥＰＧを利用して，チャンネル単位の番組表の他，所定のジャンルにもとづいた番組表も表示できるため，ジャンルを手がかりに視聴したい番組を選択することもできる。
【０００４】
しかし，いずれの場合でも，ユーザは，視聴したい番組の放送予定を調べ，該当するチャンネルを選択しなければならない。一般的なテレビでは，電源投入時に直前の電源断時に表示されていたチャンネルをそのまま表示する。このため，表示されるチャンネルはユーザが視聴したいものとは限らず，チャンネルの切り替え操作が必要となる。
【０００５】
そこで，チャンネル選局のためのリモコンに，ユーザが最も選択する頻度が高いと考えられるチャンネルを「お好みチャンネル」として設定できるようにして，電源投入時には，この「お好みチャンネル」が自動的に選択されて番組が表示されるようにするテレビが知られている（例えば，特許文献１参照）。
【特許文献１】特開平１０−３３６５３５号公報
【発明の開示】
【発明が解決しようとする課題】
【０００６】
しかし，近年では，ＣＳ（衛星放送）やケーブルによる多チャンネル番組配信方法が普及している。したがって，ユーザが視聴したいチャンネルが，特許文献１のようにプリセットされた「お好みチャンネル」に設定されているものであるという状況は稀になってきている。
【０００７】
また，自分が視聴したい番組が，「お好みチャンネル」を含めどのチャンネルで放送されているかを予め把握しておく必要があるという状況にかわりがない。さらに，視聴したい番組が「お好みチャンネル」でなければ，視聴したい番組のチャンネルを調べて選局するという操作の手間を省くことはできない。ＥＰＧの番組表は，番組を探すための一助となるが，チャンネル選局操作自体を省くことはできない。
【０００８】
近年普及しているＣＳやケーブルによる多チャンネル配信システムの場合には，視聴したい番組がどのチャンネルで放送されているかを調べること自体が煩雑になってきている。例えば，番組は各配信会社が設定した放送時間によって放送されるために番組表が複雑になり，番組のジャンル設定が各配信会社によって異なるため，所望する番組を探すことが困難になっている。したがって，ユーザが嗜好する番組を，予め放送日時などを知らなくても確実に視聴できるような仕組みが求められている。
【０００９】
本発明の目的は，ユーザが視聴した番組履歴にもとづいて，ユーザが嗜好すると考えられる番組を優先的に表示して，ユーザの番組視聴を支援する表示装置，または前記表示装置用の遠隔操作装置を提供することである。
【課題を解決するための手段】
【００１０】
本発明にかかる表示装置は，優先度算出部，表示番組制御部，および番組表示処理部を備える。
【００１１】
そして，前記表示装置の優先度算出部は，視聴された番組の履歴情報をもとに，視聴された番組のカテゴリごとの出現回数（過去の視聴回数）をカウントし，当該出現回数をもとに各カテゴリの優先度を算出する。そして，表示番組制御部は，所定の契機，例えば電源投入時に，当該時点で放送中の番組の番組情報を取得し，前記優先度が最高のカテゴリを特定し，前記放送中の番組のなかから当該カテゴリに属する１または複数の番組を表示する。
【００１２】
本発明によれば，ユーザが過去に視聴した番組が分類されているカテゴリのうち，最も多く視聴されているカテゴリに属する番組を表示させ，ユーザに当該番組の放送を知らせることができる。ユーザは，嗜好にあったカテゴリの番組がどのチャンネルで放送されているかを知らない場合でも，見たい番組を見逃すという状況を回避することができる。
【００１３】
さらに，本発明にかかる表示装置は，別の態様として，番組の内容にもとづいて分類するサブカテゴリと，前記サブカテゴリに分類される番組の番組情報に出現する語であって，番組名，出演者などの番組内容の特徴を表す語（特徴語）との対応関係を示す対応情報を記憶しておく番組特徴情報記憶部を備える。
【００１４】
そして，表示装置の番組特徴抽出部は，所定の契機において，当該時点で放送中の番組の番組情報を取得し，当該放送中の番組の番組情報および視聴された番組の視聴履歴情報から，番組ごとにその番組内容の特徴を表す特徴語を切り出し，対応情報をもとに各番組のサブカテゴリを特定する。そして，優先度算出部は，視聴履歴情報における各サブカテゴリの出現回数（過去の視聴回数）をカウントし，当該出現回数をもとにサブカテゴリの優先度を算出する。すると，表示番組制御部は，優先度が最高のサブカテゴリを特定し，放送中の番組のなかから当該サブカテゴリに属する１または複数の番組を選択する。そして，番組表示処理部は，選択された１または複数の番組を表示する。
【００１５】
さらに，前記番組表示処理部は，選択された１または複数の番組それぞれを所定サイズのサムネイル画面で表示し，サムネイル画面で表示中の番組のうち視聴対象として選択された番組を通常画面で表示し，前記視聴対象以外のサムネイル画面を消去してもよい。
【００１６】
これにより，番組配信者が設定するカテゴリに比べて，より詳細かつよりユーザの嗜好に合った分類を用いて番組の提示を行うことができる。
【００１７】
また，本発明にかかる表示装置は，別の態様として，録画された番組を記録する録画番組記憶部と，録画対象に指定された放送中の番組を録画し，録画番組記憶部に格納する番組録画部とを備えるとともに，表示番組制御部は，サムネイル画面で表示中の番組であって視聴対象として選択された番組の優先度が所定の値以上である場合に，当該視聴対象として選択されなかった番組を録画対象として指定して番組録画部に通知する。
【００１８】
これにより，番組を録画再生する装置と連携する構成をとり，視聴対象として選択されずに非表示となった番組の優先度が，視聴対象となっている番組の優先度より高い場合に，当該非表示の番組を録画対象に特定し，前記連携する番組録画再生装置へ録画指示を通知することができる。
【００１９】
これにより，視聴対象とならなかった番組を自動的に録画保存することができ，ユーザは視聴したい番組が重なった場合でも，見たい番組を見逃したり，録画し忘れたりという状況を回避することができる。
【００２０】
また，本発明にかかる遠隔操作装置は，指示信号受信部と前記指示信号によって指示された番組を表示する番組表示処理部とを備える表示装置に対して当該指示信号を送信するものであって，優先度算出部，表示番組制御部，および指示信号送信部を備える。
【００２１】
遠隔操作装置の優先度算出部は，視聴された番組の履歴情報をもとに，前記視聴された番組のカテゴリごとの出現回数をカウントし，当該出現回数をもとにカテゴリの優先度を算出する。そして，表示番組制御部は，所定の契機において，当該時点で放送中の番組の番組情報を取得し，優先度が最高のカテゴリを特定し，放送中の番組のなかから当該カテゴリに属する１または複数の番組を選択する。そして，指示信号送信部は，選択された１または複数の番組の番組名を表示し，ユーザによって選択された番組を試聴対象とする指示信号を表示装置へ送信する。
【００２２】
これにより，視聴履歴情報にもとづいて，カテゴリの優先度が高い番組を選択して表示させるための指示信号を表示装置へ送信することができる。
【００２３】
以上の処理は，ＣＰＵおよびメモリを内蔵する表示装置または遠隔操作装置と前記装置内のＣＰＵで読み取られ稼働されるソフトウェアプログラムとによって実現することができる。そのプログラムは，ＣＰＵが読み取り可能な可搬媒体メモリ，半導体メモリなどの適当な記録媒体に格納することができ，これらの記録媒体に記録して提供され，または，通信インタフェースを介して種々の通信網を利用した送受信により提供される。
【発明の効果】
【００２４】
本発明によれば，ユーザは，予め番組表を知らなくても，表示装置の電源投入時などに見たい分野の放送中の番組を知ることができ，番組表を確認してチャンネルを選択するなどの操作の煩わしさから解放され，好みにあった番組を見逃すことなく視聴できるようになる。よって，本発明は，番組を表示する表示装置のユーザビリティを著しく向上させる効果を奏する。
【発明を実施するための最良の形態】
【００２５】
図１は，本発明の最良の実施形態における構成例を示す図である。
【００２６】
本発明にかかる表示装置に相当する嗜好番組表示機能付きテレビ（以下，「テレビ」という）１は，本発明にかかる遠隔操作装置に相当するテレビ用リモコン（以下「リモコン」という）２の指示信号を受信する機能を持ち，ＥＰＧ情報記憶部１０１，視聴履歴情報記憶部１０２，優先度情報記憶部１０３，録画番組情報記憶部１０４，番組特徴情報記憶部１０５，ＥＰＧ情報収集部１１０，優先度算出部１１１，表示番組制御部１１２，ユーザ指示受付部１１３，番組表示処理部１１４，表示器１１５，番組特徴抽出部１１６，サブカテゴリ設定部１１７を備える。
【００２７】
ＥＰＧ情報記憶部１０１は，放送される番組の内容を表す番組情報を記憶する手段である。図２に示すように，ＥＰＧ情報は，番組ごとに，放送日，放送時間，局名（チャンネル），カテゴリ，番組名，出演者，概要（内容）などの情報で構成される。カテゴリは，番組配信者によって分類され付与された番組内容にもとづく分類であり，例えば，スポーツ，ドラマ，映画，ニュースなどがある。
【００２８】
視聴履歴情報記憶部１０２は，ユーザによって視聴された番組の視聴履歴情報を記憶する手段である。視聴履歴情報は，視聴された番組のＥＰＧ情報から生成され，さらに，サブカテゴリが付与されたものである。
【００２９】
優先度情報記憶部１０３は，各カテゴリまたは各サブカテゴリの優先度情報を記憶する手段である。カテゴリおよびサブカテゴリは，優先度が付与される単位である。カテゴリは，ＥＰＧ情報に番組配信者によって設定される。サブカテゴリは，ユーザによって設定された前記カテゴリのより詳細な分類である。図３に示すように，カテゴリとして，ＥＰＧ情報に設定された「スポーツ，ドラマ，ニュース」などが記憶される。また，カテゴリ「スポーツ」のサブカテゴリとして，「サッカー，野球，格闘技，テニス，オリンピック」などが記憶される。
【００３０】
録画番組情報記憶部１０４は，テレビ１と連動する番組録画再生装置によって録画された番組のインデックス情報を記憶する手段である。
【００３１】
番組特徴情報記憶部１０５は，サブカテゴリと，前記サブカテゴリに分類される番組に含まれる特徴語との対応関係を示す対応情報を記憶する手段である。対応情報の特徴語は，番組内容の特徴を表す語としてＥＰＧ情報に出現する語，例えば，番組名（番組シリーズのタイトル，各放送回のタイトル），出演者，概要（内容）に含まれる名詞，形容詞などの語である。
【００３２】
ＥＰＧ情報収集部１１０は，放送用電波またはインターネットを通じて配信されるＥＰＧ情報を収集し，ＥＰＧ情報記憶部１０１へ格納する手段である。
【００３３】
優先度算出部１１１は，過去に視聴された番組の視聴履歴情報におけるカテゴリごとの出現回数（過去の視聴回数）を計算し，その出現回数をもとに各カテゴリの優先度を算出し，優先度情報記憶部１０３に格納する手段である。
【００３４】
また，優先度算出部１１１は，視聴履歴情報にサブカテゴリが付与されている場合に，サブカテゴリごとの出現回数（過去の視聴回数）を計算し，その出現回数をもとに各サブカテゴリの優先度を算出し，優先度情報記憶部１０３に格納する。
【００３５】
また，優先度算出部１１１は，後述する番組特徴抽出部１１６によって求められた視聴履歴情報における各特徴語の出現回数を参照して，現在放送中の番組の番組情報に含まれる特徴語の出現回数の総数から，番組優先度を算出する。
【００３６】
さらに，優先度算出部１１１は，カテゴリまたはサブカテゴリごとに，重み付けの対象とする特徴語または特徴語のグループを記憶しておき，該当する特徴語の出現回数に重み付けを行って番組優先度を算出してもよい。
【００３７】
例えば，図４に示すように，「スポーツ」のカテゴリに属する番組については，ＥＰＧ情報から抽出された特徴語が「チーム名」である場合に「出現回数を３倍にする（×３）」という重み付けを行う。また，「ドラマ」のカテゴリに属する番組については，ＥＰＧ情報から抽出された特徴語が「番組シリーズのタイトル」である場合に「出現回数に１０を加算する（＋１０）」という重み付けを行ったり，特徴語が「出演者」である場合に「出現回数を２倍にする（×２）」という重み付けを行ったりする。
【００３８】
表示番組制御部１１２は，テレビ１の電源投入時または所定の契機ごとに，ＥＰＧ情報記憶部１０１から現在放送中の番組のＥＰＧ情報を取得し，優先度情報記憶部１０３に記憶されている優先度が最高のカテゴリまたはサブカテゴリに属する１または複数の番組を選択する手段である。また，表示番組制御部１１２は，視聴された番組の番組情報から視聴履歴情報を生成して視聴履歴情報記憶部１０２へ格納する。
【００３９】
ユーザ指示受付部１１３は，リモコン２から送信されたユーザ指示を内容とする指示信号を受信する手段である。
【００４０】
番組表示処理部１１４は，表示番組制御部１１２によって選択された１または複数の番組各々を，番組の優先度に応じたサイズのサムネイル画面で表示器１１５に表示し，ユーザの視聴指示を受け付けると，視聴指示された番組を通常画面で表示器１１５に表示する手段である。番組表示処理部１１４は，表示番組制御部１１２で決定された順番に従って，優先度が高い番組ほど大きなサイズのサムネイル画面で表示する。
【００４１】
番組特徴抽出部１１６は，過去に視聴された番組ごとに，その視聴履歴情報から特徴語を切り出し，対応情報を参照して，切り出した特徴語が最も良く一致するサブカテゴリを特定する。そして，特定したサブカテゴリを視聴履歴情報に付加する。
【００４２】
また，番組特徴抽出部１１６は，現在放送中の番組ごとに，そのＥＰＧ情報から特徴語を切り出し，対応情報を参照して，切り出した特徴語が最も良く一致するサブカテゴリを特定し，特定したサブカテゴリを優先度算出部１１１に通知する。
【００４３】
また，番組特徴抽出部１１６は，全ての視聴履歴情報から特徴語を切り出し，切り出した特徴語ごとの視聴履歴情報における出現回数を計算する。また，現在放送中の番組ごとに，そのＥＰＧ情報から特徴語を切り出す。そして，各特徴語の出現回数，および現在放送中の各番組の特徴語を優先度算出部１１１に通知する。
【００４４】
サブカテゴリ設定部１１７は，ユーザの入力操作によって，サブカテゴリ，対応情報，重み付けなどを編集する手段である。
【００４５】
リモコン２は，指示入力部２０，指示送信部２１を備える。
【００４６】
指示入力部２０は，ユーザの入力操作によって視聴したい番組を示す視聴対象，カテゴリ表示の切り替えなどの指示入力を受け付ける処理手段である。
【００４７】
指示送信部２１は，入力されたユーザ指示を内容とする指示信号をテレビ１へ送信する処理手段である。
【００４８】
次に，サムネイル画面で表示する番組の選択方法について説明する。
【００４９】
表示番組制御部１１２は，サムネイル画面で表示する番組群をカテゴリまたはサブカテゴリ単位で決定する。決定されたカテゴリまたはサブカテゴリに属する番組が複数放送されているときは，以下のようにして，所定の表示サムネイル画面数以内，または所定の優先度の閾値を超えるものを選択する。
【００５０】
サムネイル画面で表示する番組群がカテゴリの優先度で決定された場合に，当該カテゴリを構成するサブカテゴリの優先度を用いて選択する。すなわち，当該カテゴリを構成するサブカテゴリの優先度をもとに，優先度が高いサブカテゴリに属する番組から順次選択する。もしくは，当該カテゴリに属する番組の番組優先度を用いて，当該カテゴリに属する番組のなかから，番組優先度が高い順に番組を選択する。
【００５１】
また，サムネイル画面で表示する番組群がサブカテゴリの優先度で決定された場合に，当該サブカテゴリに属する番組の番組優先度を用いて，当該カテゴリに属する番組のなかから，番組優先度が高い順に番組を選択する。
【００５２】
サムネイル画面で表示する番組群として，例えば，カテゴリ「Ａ」に属する４つの番組ａ１〜ａ４が選択されたと仮定する。これらの番組ａ１〜ａ４は，図５に示すような番組優先度であり，優先度の閾値を超える番組優先度を持つものが番組ａ１〜ａ３であるとする。
【００５３】
表示番組制御部１１２は，最大の優先度を持つカテゴリ「Ａ」の番組ａ１〜ａ４のなかから，番組ａ１〜ａ３を選択し，番組表示処理部１１４に，番組ａ１，ａ２，ａ３の順序（番組優先度が高い順序）を通知する。
【００５４】
番組表示処理部１１４は，図６に示すように，番組ａ１，ａ２，ａ３の順番でサムネイル画面のサイズを順次小さくして表示器１１５に表示する。
【００５５】
さらに，表示番組制御部１１２は，ユーザ指示受付部１１３において，表示器１１５にサムネイル画面で表示されている番組のカテゴリの切り替え指示を受け付けた場合に，優先度情報記憶部１０３を参照して，表示中のカテゴリ／サブカテゴリの次に優先度が高いカテゴリ／サブカテゴリを特定する。そして，特定されたカテゴリ／サブカテゴリに属する１または複数の番組を，上述のようにして選択する。例えば，カテゴリ「Ａ」の次に優先度が高いカテゴリ「Ｂ」に属する番組ｂ１，ｂ２の順序が通知されたとする。
【００５６】
番組表示処理部１１４は，図７に示すように，カテゴリ「Ｂ」に属する番組ｂ１，ｂ２をサムネイル画面で表示する。
【００５７】
さらに，表示番組制御部１１２は，表示器１１５に番組が通常画面で表示されている場合に，ＥＰＧ情報記憶部１０１のＥＰＧ情報を参照して，当該時点で放送が開始され，かつ表示されている番組のカテゴリ／サブカテゴリ以外のカテゴリ／サブカテゴリ（非表示カテゴリ／サブカテゴリ）に属する番組があるときは，当該非表示カテゴリ／サブカテゴリの番組の１つを選択する。
【００５８】
例えば，番組表示処理部１１４は，図８に示すように，カテゴリ「Ｂ」の番組ｂ１を通常画面で表示していれば，別のカテゴリ「Ａ」の番組ａ１，カテゴリ「Ｃ」の番組ｃ１をそれぞれサムネイル画面で表示する。
【００５９】
さらに，表示番組制御部１１２は，表示器１１５にサムネイル画面で表示されている複数の番組の番組優先度が所定の値以上かつ所定の範囲内であるときに，複数の番組のうちユーザによって視聴対象として指定されなかった１つの番組を録画対象として指定し，テレビ１と連動する番組録画再生装置（図１に図示しない）へ録画指示を通知し，録画対象の番組のインデックス情報を録画番組情報記憶部１０４へ格納する。
【００６０】
カテゴリ「Ａ」の番組ａ１，ａ２の番組の優先度がほぼ同じである場合に，番組表示処理部１１４は，図９に示すように，カテゴリ「Ａ」の番組ａ１，番組ａ２のサムネイル画面がほぼ同じ大きさとなるようにして表示する。ここで，ユーザが番組ａ１を視聴対象として選択した場合に，表示番組制御部１１２は，選択されなかった番組ａ２を録画対象として特定し，番組ａ２の録画情報を特定するためのインデックス情報を録画番組情報記憶部１０４に格納する。また，番組表示処理部１１４は，番組ａ１を通常画面に切り替えて表示する。
【００６１】
次に，本発明の処理を具体例を用いて説明する。
【００６２】
優先度情報記憶部１０３に，図１０に示すようなカテゴリ／サブカテゴリの優先度が記憶されているとする。
【００６３】
テレビ１の電源投入時に，表示番組制御部１１２は，優先度情報記憶部１０３を参照して，カテゴリ１「スポーツ」の優先度が最も高いので，ＥＰＧ情報から現在放送中の番組であってカテゴリが「スポーツ」の番組を選択する。ここで，「スポーツ」のカテゴリに属する番組が３つあったと仮定する。「スポーツ」のカテゴリに属するこれらの３つの番組のＥＰＧ情報のそれぞれから特徴語を切り出し，対応情報を参照して，サブカテゴリを「サッカー，野球，水泳」と特定する。表示するサムネイル画面数＝４と設定されている場合には，設定された画面数以内であるので，「サッカー，野球，水泳」の各番組を選択する。そして，これらの番組のＥＰＧ情報を視聴履歴情報として視聴履歴情報記憶部１０２へ格納する。
【００６４】
番組表示処理部１１４は，選択された各番組のサブカテゴリ「サッカー，野球，水泳」の優先度が，それぞれ，“４０，５，０（＝未登録）”であるので，「サッカー」の番組を大きいサイズのサムネイル画面で，「野球」の番組を中サイズのサムネイル画面で，「水泳」の番組を小サイズのサムネイル画面で表示器１１５に表示する。
【００６５】
ここで，ユーザが「サッカー」の番組を視聴対象として選択すると，番組表示処理部１１４は，「野球」と「水泳」の２つの番組のサムネイル画面の表示を終了し，「サッカー」の番組を通常画面で表示する。
【００６６】
表示番組制御部１１２は，非表示の番組の録画処理の閾値が“２０以内”に設定されていると仮定すると，「サッカー」の番組の優先度（４０）と「野球」の番組の優先度（５）との差が“３５”であって設定された閾値を超えるため，「野球」の番組を録画対象に設定しない。
【００６７】
一方，ユーザが「野球」の番組を選択すると，「サッカー」と「水泳」の２つのサムネイル画面の表示を終了し，「野球」の番組を通常画面で表示する。そして，表示番組制御部１１２は，優先度がより高い「サッカー」の番組を録画対象に設定し，番組録画再生装置へ通知し，録画番組情報記憶部１０４へ「サッカー」の番組のインデックス情報を格納する。
【００６８】
このように，テレビ１は，電源投入がされると，ユーザがよく視聴していたカテゴリに属する放送中の番組を一覧できる状態で表示する。ユーザは，番組予定表を調べずに見たい番組を選ぶことができる。また，ユーザが過去にあまり視聴していなかったカテゴリの番組を視聴対象として選択した場合でも，より多く視聴していたカテゴリの番組が放送中であれば，その番組が自動的に録画保存されるため，見たい番組を見逃すという状況を回避することができる。
【００６９】
さらに，テレビ１の優先度算出部１１１は，視聴履歴情報記憶部１０２の情報が更新されたので，カテゴリおよびサブカテゴリの優先度を更新する。ここで，視聴回数（出現回数）をそのまま優先度として使用する場合に，例えば「サッカー」の番組が視聴対象として選択されている場合に，カテゴリの「スポーツ」およびサブカテゴリ「サッカー」にそれぞれ１点加算（＋１）され，カテゴリおよびサブカテゴリの優先度が更新される。
【００７０】
また，サブカテゴリ「サッカー」のみ視聴回数（出現回数）を加算してサブカテゴリの優先度を更新し，同一カテゴリの「スポーツ」に属する１つまたは複数のサブカテゴリに合計で１０点が加算（＋１０）された場合に，カテゴリ「スポーツ」に１点加算（＋１）してカテゴリの優先度を更新するようにしてもよい。
【００７１】
次に，ユーザが通常画面で表示されている「恋愛ドラマ」の番組を見ている場合に，「天気予報，テニス，サスペンスドラマ」の３つの番組の放送がほぼ同時刻に開始されたと仮定する。また，サムネイル表示画面数＝２と設定されていると仮定する。
【００７２】
優先度の比較対象となる番組が複数のカテゴリに及ぶ場合に，表示番組制御部１１２は以下のように処理を行う。
【００７３】
まず，表示番組制御部１１２は，開始された番組のサブカテゴリを，上述する処理によって特定する。そして，図１０に示す情報から，天気予報（カテゴリ＝ニュース，優先度＝６０），テニス（スポーツ，１５），サスペンスドラマ（ドラマ，２０）を取得し，各番組が属するカテゴリおよびサブカテゴリの優先度を用いて各番組のカテゴリの優先度とする。ここでは，「カテゴリの優先度×サブカテゴリの優先度」で求める。したがって，「天気予報」のカテゴリ優先度は“２４００”（カテゴリ「ニュース」の優先度（４０）×サブカテゴリ「天気予報」優先度（６０））となる。同様に，「テニス」の優先度は“１２００”（カテゴリ「スポーツ」の優先度（８０）×サブカテゴリ「テニス」の優先度（１５）），「サスペンスドラマ」の優先度は“１２００”（カテゴリ「ドラマ」の優先度（６０）×サブカテゴリ「サスペンス」の優先度（２０））となる。
【００７４】
また，現在，通常画面で表示されている番組「恋愛ドラマ」の優先度も同様にして求める。ここで優先度は“１２００”（カテゴリ「ドラマ」の優先度（６０）×サブカテゴリ「恋愛」の優先度（２０））となる。
【００７５】
そして，表示番組制御部１１２は，サムネイル画面によって表示する番組として，「天気予報」と，優先度が同じである２つの番組「テニス」と「サスペンスドラマ」のうち，カテゴリの優先度が高い方を選択する。
【００７６】
そして，番組表示処理部１１４は，図８に示すように，ユーザが通常画面で表示されている番組（図８の番組ｂ１）を見ている場合に，「天気予報」と「テニス」の番組を，サムネイル画面（図８の番組ａ１，ｃ１）で表示する。
【００７７】
ユーザが，サムネイル画面を見て「天気予報」の番組を視聴対象として選択した場合には，番組表示処理部１１４は，「天気予報」の番組を通常画面で表示し，「テニス」のサムネイル画面を消去する。また，表示番組制御部１１２は，この時点まで通常画面で表示されていた番組「恋愛ドラマ」を録画対象として特定し，番組録画再生装置へ録画指示を通知する。
【００７８】
一方，ユーザが，一定の期間内に番組を切り替えず「恋愛ドラマ」をそのまま視聴した場合には，サムネイル画面を消去し，サムネイル画面で表示していた「天気予報」の番組の優先度が，視聴中の「恋愛ドラマ」の番組の優先度よりも高いので，「天気予報」の番組を録画対象として特定し，番組録画再生装置へ録画指示を通知する。
【００７９】
なお，サムネイル画面で表示した番組の優先度が，ユーザが視聴中の番組すなわち通常画面で表示中の番組の優先度より低く，かつ所定の閾値に満たない場合には，サムネイル画面で表示した番組は，録画対象としない。
【００８０】
このように，ユーザは別の番組を視聴中でも，よく視聴しているカテゴリの番組の開始を知ることができる上，テレビ１と番組録画再生装置との連携によって，優先度が高い番組を自動的に録画保存されるため，見たい番組を見逃すという状況を回避することができる。
【００８１】
図１１〜図１４は，本発明の処理の流れを示す図である。図１１は，テレビ１の処理の流れの概要を示す図である。ここでは，表示のための優先度としてカテゴリ単位の優先度を用い，同一カテゴリに属する複数の番組が放送されている場合に，その番組のサブカテゴリを用いて表示する番組を選択するものとする。
【００８２】
テレビ１の電源投入時または所定の契機（所定の時間の経過時）であれば（ステップＳ１），ＥＰＧ情報収集部１１０によってＥＰＧ情報の収集処理が実行され（ステップＳ２），表示番組制御部１１２および番組表示処理部１１４によってサムネイル画面による番組の提示処理が実行される（ステップＳ３）。その後，優先度算出部１１１によって優先度の更新処理が実行される（ステップＳ４）。テレビ１の電源断と判断されるまで（ステップＳ５），ステップＳ１の処理へ戻り，ステップＳ２〜Ｓ５の処理が繰り返される。
【００８３】
図１２は，電源投入時の番組提示処理の流れを示す図である。
【００８４】
テレビ１の表示番組制御部１１２は，ＥＰＧ情報記憶部１０１から現在放送中の番組のＥＰＧ情報を取得する（ステップＳ１０）。そして，優先度情報記憶部１０３に保存されているカテゴリの優先度から，優先度が最も高いカテゴリを特定する（ステップＳ１１）。
【００８５】
そして，特定したカテゴリに属する放送中の番組があるかを調べる（ステップＳ１２）。該当する放送中の番組があれば（ステップＳ１２のＹＥＳ），該当する番組が２つ以上であるかを調べる（ステップＳ１３）。該当する番組が２つ以上でなければ（ステップＳ１３のＮＯ），番組表示処理部１１４は，該当する番組を通常画面で表示する（ステップＳ１４）。また，該当する番組が２つ以上であれば（ステップＳ１３のＹＥＳ），表示番組制御部１１２は，各番組のサブカテゴリの優先度が所定の閾値を超える番組を，優先度が高い順に所定のサムネイル画面数まで選択する。番組表示処理部１１４は，選択された番組を，そのサブカテゴリの優先度に応じたサイズのサムネイル画面で表示する（ステップＳ１５）。
【００８６】
表示番組制御部１１２は，ユーザによってサムネイル画面で表示された番組が選択されたかを調べる（ステップＳ１６）。サムネイル画面により表示されている番組が選択されれば（ステップＳ１６のＹＥＳ），番組表示処理部１１４は，ユーザによって選択された番組を通常画面に変えて表示し，表示番組制御部１１２は，選択された番組のカテゴリの優先度より高い優先度の番組（他のサムネイル画面，または通常画面で表示されていた番組）があればその番組を録画対象に特定し，録画処理する（ステップＳ１７）。サムネイル画面により表示されている番組が選択されなければ（ステップＳ１６のＮＯ），ユーザが指示したチャンネルの番組を表示する。また，何も指示がなければ現在の通常表示をそのまま続ける（ステップＳ１８）。
【００８７】
図１３は，ユーザがある番組を視聴中の番組提示処理の流れを示す図である。
【００８８】
テレビ１の表示番組制御部１１２は，ＥＰＧ情報記憶部１０１を参照して，表示されていない番組の開始時間をチェックし（ステップＳ２０），当該時点で開始する番組があれば（ステップＳ２１のＹＥＳ），優先度情報記憶部１０３から，該当する番組のカテゴリの優先度を取得する（ステップＳ２２）。カテゴリの優先度が所定の閾値以上でなければ（ステップＳ２３のＮＯ），処理を行わずに（ステップＳ２４），ステップＳ２０の処理へ戻り，優先度が所定の閾値以上であれば（ステップＳ２３のＹＥＳ），番組表示処理部１１４は，該当する優先度が最高の番組をサムネイル画面で表示する（ステップＳ２５）。
【００８９】
さらに，表示番組制御部１１２は，現在通常画面で表示中の番組のカテゴリの優先度を取得して，サムネイル画面で表示されている開始された番組のカテゴリの優先度と比較し（ステップＳ２６），サムネイル画面で表示されている開始された番組のカテゴリの優先度が現在通常画面で表示中の番組より高ければ（ステップＳ２６のＹＥＳ），サムネイル画面で表示中の番組を通常画面に切り替えて表示し，通常画面で表示中の番組を録画対象に特定して録画する（ステップＳ２７）。一方，サムネイル画面で表示されている開始された番組のカテゴリの優先度が現在通常画面で表示中の番組の優先度より高くなければ（ステップＳ２６のＮＯ），サムネイル画面で表示中の番組を録画対象として録画する（ステップＳ２８）。
【００９０】
図１４は，通常画面で表示していた番組終了時の番組提示処理の流れを示す図である。
【００９１】
テレビ１の表示番組制御部１１２は，通常画面で表示中の番組が終了すると（ステップＳ３０のＹＥＳ），当該時点で，ＥＰＧ情報記憶部１０１を参照して，カテゴリの優先度が所定の優先度より高い放送中の番組があるかを調べる（ステップＳ３１）。該当するカテゴリの優先度の高い番組が放送中であれば（ステップＳ３１のＹＥＳ），録画番組情報記憶部１０４を参照し，放送中の番組と，録画保存されている番組とをサムネイル画面で表示する（ステップＳ３２）。
【００９２】
ユーザによって，サムネイル画面から録画された番組が選択されなかった場合には（ステップＳ３３のＮＯ），現在放送中の番組を通常画面に切り替えて表示する（ステップＳ３４）。一方，サムネイル画面から録画された番組が選択された場合には（ステップＳ３３のＹＥＳ），録画保存されている番組を番組録画再生装置へ通知して再生する（ステップＳ３５）。
【００９３】
図１５は，図１に示すリモコン２に，番組提示機能および優先度更新機能を設けた場合の構成例を示す図である。
【００９４】
図１５に示すリモコン２は，指示入力部２０および指示送信部２１の他に，ＥＰＧ情報記憶部２０１，視聴履歴情報記憶部２０２，優先度情報記憶部２０３，録画番組情報記憶部２０４，番組特徴情報記憶部２０５，ＥＰＧ情報収集部２１０，優先度算出部２１１，表示番組制御部２１２，番組特徴抽出部２１６，サブカテゴリ設定部２１７を備える。これらの処理部は，図1に示すテレビ１のＥＰＧ情報記憶部１０１，視聴履歴情報記憶部１０２，優先度情報記憶部１０３，録画番組情報記憶部１０４，番組特徴情報記憶部１０５，ＥＰＧ情報収集部１１０，優先度算出部１１１，表示番組制御部１１２，番組特徴抽出部１１６，サブカテゴリ設定部１１７と同等の処理を行う。また，リモコン２は，表示器２１９を備える。
【００９５】
リモコン２の表示番組制御部２１２は，選択した番組の番組名の一覧を表示器２１９に表示し，ユーザから視聴対象として選択された番組の放送局を示す選局データまたは録画対象となる番組の情報を，指示送信部２１を通じてテレビ１へ送信する。
【００９６】
指示入力部２０は，表示器２１９に表示されたサムネイル画面に代わる視聴可能な番組名の一覧から，視聴対象とする番組名の選択入力，表示されているカテゴリの切り替え指示入力などを入力する。
【００９７】
図１６に，リモコン２の指示入力部２０，表示器２１９の例を示す。
【００９８】
指示入力部２０の一部をなすボタンＡ，Ｂ，Ｃは，表示器２１９に表示される視聴可能な番組の一覧の各項目Ａ，Ｂ，Ｃに対応し，項目の選択を入力するボタンである。また，カテゴリ切替ボタンは，トグル式によって表示器２１９に表示されているカテゴリの選択を入力するボタンである。
【００９９】
この実施例の場合に，図１５に示すように，テレビ１は，番組表示処理部１８，表示器１９，ＥＰＧ情報収集・送信部１１８，および表示／録画指示受信部１１９で構成される。ＥＰＧ情報収集・送信部１１８は，ＥＰＧ情報を収集し，リモコン２のＥＰＧ情報収集部２１０へ送信する。表示／録画指示受信部１１９は，リモコン２の指示送信部２１から発信された指示情報を受信する。
【０１００】
これによって，ユーザは，リモコン２の表示器２１９に一覧表示された番組名から番組を選択できるため，手元のリモコン２だけで番組の選択操作を行うことができる。
【０１０１】
以上，本発明をその実施の形態により説明したが，本発明はその主旨の範囲において種々の変形が可能であることは当然である。
【０１０２】
本発明の形態および実施例の特徴を列記すると以下のとおりである。
【０１０３】
（付記１）
ユーザの番組視聴履歴にもとづいてユーザが嗜好する番組を表示する機能を備える表示装置であって，
視聴された番組の履歴情報をもとに前記視聴された番組のカテゴリごとの出現回数をカウントし，当該出現回数をもとに前記カテゴリの優先度を算出する優先度算出部と，
所定の契機において，当該時点で放送中の番組の番組情報を取得し，前記優先度が最高のカテゴリを特定し，前記放送中の番組のなかから当該カテゴリに属する１または複数の番組を選択する表示番組制御部と，
前記選択された１または複数の番組を表示する番組表示処理部とを備える
表示装置。
【０１０４】
（付記２）
ユーザの番組視聴履歴にもとづいてユーザが嗜好する番組を表示する機能を備える表示装置であって，
前記番組を内容にもとづいて分類するサブカテゴリと，前記サブカテゴリに分類される番組の特徴を表す特徴語との対応関係を示す対応情報を記憶する番組特徴情報記憶部と，
所定の契機において，当該時点で放送中の番組の番組情報を取得し，当該放送中の番組の番組情報および視聴された番組の視聴履歴情報から，番組ごとにその番組内容の特徴を表す特徴語を切り出し，前記対応情報をもとに各番組のサブカテゴリを特定する番組特徴抽出部と，
前記視聴履歴情報における各サブカテゴリの出現回数をカウントし，当該出現回数をもとに前記サブカテゴリの優先度を算出する優先度算出部と，
前記優先度が最高のサブカテゴリを特定し，前記放送中の番組のなかから当該サブカテゴリに属する１または複数の番組を選択する表示番組制御部と，
前記選択された１または複数の番組を表示する番組表示処理部とを備える
表示装置。
【０１０５】
（付記３）
前記番組表示処理部は，前記選択された１または複数の番組それぞれを所定サイズのサムネイル画面で表示し，当該サムネイル画面で表示中の番組のうち視聴対象として選択された番組を通常画面で表示し，前記視聴対象以外のサムネイル画面を消去する
前記付記１または２に記載の表示装置。
【０１０６】
（付記４）
前記番組表示処理部は，前記サムネイル画面で表示中の番組のうち視聴対象として選択された番組を通常画面で表示し，前記視聴対象以外のサムネイル画面を消去する
前記付記３に記載の表示装置。
【０１０７】
（付記５）
前記表示番組制御部は，前記サムネイル画面で表示中のカテゴリの切り替え指示を受け付けた場合に，当該サムネイル画面で表示中のカテゴリの次に優先度が高いカテゴリを特定し，当該特定されたカテゴリに属する１または複数の番組を選択する
前記付記３に記載の表示装置。
【０１０８】
（付記６）
前記表示番組制御部は，放送中の番組が通常画面で表示されている場合に，前記番組情報を参照し，前記通常画面で表示中の番組のカテゴリまたはサブカテゴリに属していない番組であって当該時点で放送が開始された番組が存在するときは，当該前記放送が開始された番組を選択し，
前記番組表示処理部は，前記放送が開始された番組をサムネイル画面で表示する
前記付記１または前記付記２に記載の表示装置。
【０１０９】
（付記７）
前記番組特徴抽出部は，前記視聴履歴情報から特徴語を抽出し，前記抽出された特徴語各々について前記視聴履歴情報における出現回数を算出し，さらに，当該時点で放送中の番組の番組情報をもとに前記放送中の番組各々について対応する番組情報から特徴語を抽出し，前記抽出した特徴語各々の前記視聴履歴情報における出現回数をカウントし，
前記優先度算出部は，前記視聴履歴情報から算出された前記特徴語の出現回数をもとに，前記放送中の番組について，当該放送中の番組の番組情報の特徴語の出現回数の合計数をもとに番組優先度を算出し，
前記表示番組制御部は，前記最高の優先度のカテゴリまたはサブカテゴリに属する番組から，前記番組優先度が高い順に所定数の番組を選択する 
前記付記１または前記付記２に記載の表示装置。
【０１１０】
（付記８）
前記優先度算出部は，前記カテゴリまたはサブカテゴリごとに優先度算出の重み付けの対象とする特徴語もしくは特徴語群を記憶し，当該特徴語の出現回数に重み付けを行って前記カテゴリもしくはサブカテゴリの優先度を算出する
前記付記７に記載の表示装置。
【０１１１】
（付記９）
録画された番組を記憶する録画番組記憶部と，
録画対象に指定された放送中の番組を録画し，前記録画番組記憶部に格納する番組録画部とを備えるとともに，
前記表示番組制御部は，前記サムネイル画面で表示中の番組であって前記視聴対象として選択された番組の優先度が所定の値以上である場合に，当該視聴対象として選択されなかった番組を録画対象として指定して前記番組録画部に通知する
前記付記４に記載の表示装置。
【０１１２】
（付記１０）
前記ユーザの入力操作によって，前記番組特徴情報記憶部に記憶されている前記サブカテゴリまたは前記対応情報を編集するカテゴリ編集部を備える
前記付記２に記載の表示装置。
【０１１３】
（付記１１）
指示信号受信部と，前記指示信号によって指示された番組を表示する番組表示処理部とを備える表示装置に対して当該指示信号を送信する遠隔操作装置であって，
視聴された番組の履歴情報をもとに前記視聴された番組のカテゴリごとの出現回数をカウントし，当該出現回数をもとに前記カテゴリの優先度を算出する優先度算出部と，
所定の契機において，当該時点で放送中の番組の番組情報を取得し，前記優先度が最高のカテゴリを特定し，前記放送中の番組のなかから当該カテゴリに属する１または複数の番組を選択する表示番組制御部と，
前記選択された１または複数の番組の番組名を表示し，ユーザによって選択された番組を視聴対象とする指示信号を前記表示装置へ送信する指示信号送信部を備える
遠隔操作装置。
【０１１４】
（付記１２）
指示信号受信部と，前記指示信号によって指示された番組を表示する番組表示処理部とを備える表示装置に対して当該指示信号を送信する遠隔操作装置であって，
前記番組を内容にもとづいて分類するサブカテゴリと，前記サブカテゴリに分類される番組の特徴を表す特徴語との対応関係を示す対応情報を記憶する番組特徴情報記憶部と，
所定の契機において，当該時点で放送中の番組の番組情報を取得し，当該放送中の番組の番組情報および視聴された番組の視聴履歴情報から，番組ごとにその番組内容の特徴を表す特徴語を切り出し，前記対応情報をもとに各番組のサブカテゴリを特定する番組特徴抽出部と，
前記視聴履歴情報における各サブカテゴリの出現回数をカウントし，当該出現回数をもとに前記サブカテゴリの優先度を算出する優先度算出部と，
前記優先度が最高のサブカテゴリを特定し，前記放送中の番組のなかから当該サブカテゴリに属する１または複数の番組を選択する表示番組制御部と，
前記選択された１または複数の番組の番組名を表示し，ユーザによって選択された番組を視聴対象とする指示信号を前記表示装置へ送信する指示信号送信部を備える
遠隔操作装置。
【０１１５】
（付記１３）
前記番組特徴抽出部は，前記視聴履歴情報から特徴語を抽出し，前記抽出された特徴語各々について前記視聴履歴情報における出現回数を算出し，さらに，当該時点で放送中の番組の番組情報をもとに，前記放送中の番組各々について対応する番組情報から特徴語を抽出し，前記抽出した特徴語各々の前記視聴履歴情報における出現回数をカウントし，
前記優先度算出部は，前記視聴履歴情報から算出された前記特徴語の出現回数をもとに，前記放送中の番組について，当該放送中の番組の番組情報の特徴語の出現回数の合計数をもとに番組優先度を算出し，
前記表示番組制御部は，前記最高の優先度のカテゴリまたはサブカテゴリに属する番組から，前記番組優先度が高い順に所定数の番組を選択する
前記付記１１または前記付記１２に記載の遠隔操作装置。
【０１１６】
（付記１４）
前記優先度算出部は，前記カテゴリまたはサブカテゴリごとに優先度算出の重み付けの対象とする特徴語もしくは特徴語群を記憶し，当該特徴語の出現回数に重み付けを行って前記カテゴリもしくはサブカテゴリの優先度を算出する
前記付記１１または前記付記１２に記載の遠隔操作装置。
【０１１７】
（付記１５）
前記ユーザの入力操作によって，前記番組特徴情報記憶部に記憶されている前記サブカテゴリまたは前記対応情報を編集するカテゴリ編集部を備える
前記付記１１または前記付記１２に記載の遠隔操作装置。
【図面の簡単な説明】
【０１１８】
【図１】本発明の最良の形態における構成例を示す図である。
【図２】ＥＰＧ情報のデータ構成例を示す図である。
【図３】優先度情報記憶部に記憶されるカテゴリ，サブカテゴリ，および優先度のデータ例を示す図である。
【図４】重み付けの設定例を示す図である。
【図５】優先度にもとづく番組の選択を説明するための図である。
【図６】カテゴリ「Ａ」の番組をサムネイル画面で表示した場合の表示例を示す図である。
【図７】カテゴリ「Ｂ」の番組をサムネイル画面で表示した場合の表示例を示す図である。
【図８】番組を通常画面で表示する場合に，放送が開始された番組をサムネイル画面で表示した場合の表示例を示す図である。
【図９】優先度が同程度の番組がサムネイル画面で表示された場合の処理を説明するための図である。
【図１０】カテゴリまたはサブカテゴリの優先度の例を示す図である。
【図１１】テレビの処理の流れの概要を示す図である。
【図１２】電源投入時の番組提示処理の流れを示す図である。
【図１３】ユーザがある番組を視聴中の番組提示処理の流れを示す図である。
【図１４】通常画面で表示していた番組終了時の番組提示処理の流れを示す図である。
【図１５】別の実施例として，リモコンに番組提示機能および優先度更新機能を設けた場合の構成例を示す図である。
【図１６】リモコンの指示入力部および表示器の例を示す図である。
【符号の説明】
【０１１９】
１  嗜好番組表示機能付きテレビ（テレビ）
１０１  ＥＰＧ情報記憶部
１０２  視聴履歴情報記憶部
１０３  優先度情報記憶部
１０４  録画番組情報記憶部
１０５  番組特徴情報記憶部
１１０  ＥＰＧ情報収集部
１１１  優先度算出部
１１２  表示番組制御部
１１３  ユーザ指示受付部
１１４  番組表示処理部
１１５  表示器
１１６  番組特徴抽出部
１１７  サブカテゴリ設定部
１１８  ＥＰＧ情報収集・送信部
1１９  表示／録画指示受信部
２  テレビ用リモコン（リモコン）
２０  指示入力部
２１  指示送信部
２０１  ＥＰＧ情報記憶部
２０２  視聴履歴情報記憶部
２０３  優先度情報記憶部
２０４  録画番組情報記憶部
２０５  番組特徴情報記憶部
２１０  ＥＰＧ情報収集部
２１１  優先度算出部
２１２  表示番組制御部
２１６  番組特徴抽出部
２１７  サブカテゴリ設定部
２１９  表示器
【図１】
2008228154.tif 000003
【図２】
2008228154.tif 000004
【図３】
2008228154.tif 000005
【図４】
2008228154.tif 000006
【図５】
2008228154.tif 000007
【図６】
2008228154.tif 000008
【図７】
2008228154.tif 000009
【図８】
2008228154.tif 000010
【図９】
2008228154.tif 000011
【図１０】
2008228154.tif 000012
【図１１】
2008228154.tif 000013
【図１２】
2008228154.tif 000014
【図１３】
2008228154.tif 000015
【図１４】
2008228154.tif 000016
【図１５】
2008228154.tif 000017
【図１６】
2008228154.tif 000018